(57)【要約】      （修正有）【課題】光源からの光の利用効率が低下を回避しつつ、点灯時にリフレクタの反射面が放射状に光る。【解決手段】照明装置10のリフレクタ2の反射面2a1の焦点上またはその近傍に光源1を配置し、反射面2a1と同軸の円筒状部2cの円筒面上に奇数組のスリット部2c1a,.,2c1mとリブ部2c2a,..,2c2mとを交互に配列し、円筒状部2cの中心軸を中心にリブ部2c2a,..,2c2mを１８０°回転させた位置にスリット部2c1a,..,2c1mを配置し、内周面に反射面を形成し、スリット部2c1,..,2c1mを透過せしめられた光源1からの直射光L1によって反射面2a1が放射状に光って見え、光源1から放射された光のうち、リブ部2c2a,..,2c2mの内周面によって反射された光L2が、スリット部2c1a,..,2c1mを透過せしめられる。【選択図】図１
2010080060.tif 000002
【特許請求の範囲】
【請求項１】
リフレクタ（２）に概略パラボラ状の反射面（２ａ１）を形成し、
概略パラボラ状の反射面（２ａ１）の焦点上またはその近傍に光源（１）を配置し、
スリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）と短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）とが円筒面上に交互に配列された円筒状部（２ｃ）を、概略パラボラ状の反射面（２ａ１）の中心軸線（２ａ１ａ）とほぼ同軸関係になるように光源（１）のまわりに配置し、
円筒面上に配列された短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）に反射面を形成し、
円筒状部（２ｃ）の中心軸線（２ｃ４）を中心に短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）を１８０°回転させた位置にスリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）が位置するように、奇数組のスリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）および短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）を設け、
スリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）を透過せしめられた光源（１）からの直射光（Ｌ１）が、概略パラボラ状の反射面（２ａ１）によって反射され、それにより、光源（１）の点灯時に概略パラボラ状の反射面（２ａ１）の中心軸線（２ａ１ａ）上から概略パラボラ状の反射面（２ａ１）が放射状に光って見え、
光源（１）から放射された光のうち、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）によって反射された光（Ｌ２）が、円筒状部（２ｃ）の中心軸線（２ｃ４）を隔てて短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の反対側に位置するスリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）を透過せしめられることを特徴とする照明装置（１０）。
【請求項２】
短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の外周面（２ｃ２ａ２，２ｃ２ｂ２，２ｃ２ｃ２，２ｃ２ｄ２，２ｃ２ｅ２，２ｃ２ｆ２，２ｃ２ｇ２，２ｃ２ｈ２，２ｃ２ｉ２，２ｃ２ｊ２，２ｃ２ｋ２，２ｃ２ｌ２，２ｃ２ｍ２）に反射面を形成したことを特徴とする請求項１に記載の照明装置（１０）。
【請求項３】
中心軸線（２ａ１ａ）を中心に放物線を回転させることにより得られる単一の面によって概略パラボラ状の反射面（２ａ１）を構成したことを特徴とする請求項２に記載の照明装置（１０）。
【請求項４】
複数の短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）を相互に連結するための環状の連結部（２ｃ３）を設け、
短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の上側に環状の連結部（２ｃ３）を配置し、
環状の連結部（２ｃ３）の表面のうち、光源（１）に対向する底面（２ｃ３ｃ）に反射面を形成したことを特徴とする請求項３に記載の照明装置（１０）。
【請求項５】
環状の連結部（２ｃ３）の外周面（２ｃ３ｂ）に反射面を形成したことを特徴とする請求項４に記載の照明装置（１０）。
【請求項６】
環状の連結部（２ｃ３）の内周面を内側に突出させることによってフランジ部（２ｃ３ａ１）を形成し、
フランジ部（２ｃ３ａ１）によってレンズ（３）を支持したことを特徴とする請求項５に記載の照明装置（１０）。
【請求項７】
短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の一方の側面（２ｃ２ａ３，２ｃ２ｂ３，２ｃ２ｃ３，２ｃ２ｄ３，２ｃ２ｅ３，２ｃ２ｆ３，２ｃ２ｇ３，２ｃ２ｈ３，２ｃ２ｉ３，２ｃ２ｊ３，２ｃ２ｋ３，２ｃ２ｌ３，２ｃ２ｍ３）に反射面を形成し、
短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の他方の側面（２ｃ２ａ４，２ｃ２ｂ４，２ｃ２ｃ４，２ｃ２ｄ４，２ｃ２ｅ４，２ｃ２ｆ４，２ｃ２ｇ４，２ｃ２ｈ４，２ｃ２ｉ４，２ｃ２ｊ４，２ｃ２ｋ４，２ｃ２ｌ４，２ｃ２ｍ４）に反射面を形成したことを特徴とする請求項６に記載の照明装置（１０）。
【請求項８】
環状の連結部（２ｃ３）の底面（２ｃ３ｃ）のうち、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）に隣接する部分（２ｃ３ｃ’）を曲面によって構成し、
光源（１）から放射された光のうち、この部分（２ｃ３ｃ’）に到達した光（Ｌ７）を、概略パラボラ状の反射面（２ａ１）に指向するように反射することを特徴とする請求項７に記載の照明装置（１０）。
【発明の詳細な説明】
【技術分野】
【０００１】
本発明は、光源の点灯時にリフレクタの反射面が放射状に光って見えるように構成されている照明装置に関し、特には、光源からの光の利用効率が低下してしまうのを回避しつつ、光源の点灯時にリフレクタの反射面が放射状に光って見えるようにすることができる照明装置に関する。
【背景技術】
【０００２】
従来から、光源の点灯時にリフレクタの反射面が放射状に光って見えるように構成されている照明装置が知られている。この種の照明装置の例としては、例えば特開２００８−５９９０１号公報の図５に記載されたものがある。
【０００３】
特開２００８−５９９０１号公報の図５に記載された照明装置では、リフレクタの反射面のうち、光源の点灯時に放射状に光って見える部分の形状と、光源の点灯時に放射状に光って見えない部分の形状とが異ならされている。
【０００４】
【特許文献１】特開２００８−５９９０１号公報の図５
【発明の開示】
【発明が解決しようとする課題】
【０００５】
光源の点灯時にリフレクタの反射面が放射状に光って見えるようにする手法としては、特開２００８−５９９０１号公報の図５に記載された照明装置のように、リフレクタの反射面のうち、光源の点灯時に放射状に光って見える部分の形状と、光源の点灯時に放射状に光って見えない部分の形状とが異ならせる第１の手法が考えられる。
【０００６】
更に、光源の点灯時にリフレクタの反射面が放射状に光って見えるようにする他の手法としては、例えばリフレクタの反射面を概略パラボラ状にすると共に、その概略パラボラ状の反射面の焦点上またはその近傍に光源を配置し、光透過用スリット部と短冊状の遮光用リブ部とが円筒面上に交互に配列された円筒状部を、概略パラボラ状の反射面の中心軸線とほぼ同軸関係になるように光源のまわりに配置する第２の手法が考えられる。
【０００７】
ところが、この第２の手法のように、光源から放射状に広がる光の一部が遮光用リブ部によって遮光されてしまうと、光源の点灯時にリフレクタの概略パラボラ状の反射面が放射状に光って見えるようにすることができるものの、光源からの光の利用効率が低下してしまう。
【０００８】
前記問題点に鑑み、本発明は、光源の点灯時にリフレクタの反射面が放射状に光って見えるようにするために、光源から放射状に広がる光の一部がリブ部によって遮光されるのに伴って、光源からの光の利用効率が低下してしまうのを回避することができる照明装置を提供することを目的とする。
【０００９】
換言すれば、本発明は、光源からの光の利用効率が低下してしまうのを回避しつつ、光源の点灯時にリフレクタの反射面が放射状に光って見えるようにすることができる照明装置を提供することを目的とする。
【課題を解決するための手段】
【００１０】
請求項１に記載の発明によれば、リフレクタ（２）に概略パラボラ状の反射面（２ａ１）を形成し、概略パラボラ状の反射面（２ａ１）の焦点上またはその近傍に光源（１）を配置し、スリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）と短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）とが円筒面上に交互に配列された円筒状部（２ｃ）を、概略パラボラ状の反射面（２ａ１）の中心軸線（２ａ１ａ）とほぼ同軸関係になるように光源（１）のまわりに配置し、円筒面上に配列された短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）に反射面を形成し、円筒状部（２ｃ）の中心軸線（２ｃ４）を中心に短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）を１８０°回転させた位置にスリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）が位置するように、奇数組のスリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）および短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）を設け、スリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）を透過せしめられた光源（１）からの直射光（Ｌ１）が、概略パラボラ状の反射面（２ａ１）によって反射され、それにより、光源（１）の点灯時に概略パラボラ状の反射面（２ａ１）の中心軸線（２ａ１ａ）上から概略パラボラ状の反射面（２ａ１）が放射状に光って見え、光源（１）から放射された光のうち、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）によって反射された光（Ｌ２）が、円筒状部（２ｃ）の中心軸線（２ｃ４）を隔てて短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の反対側に位置するスリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２���１ｊ，２ｃ１ｋ，２ｃ１ｌ，２ｃ１ｍ）を透過せしめられることを特徴とする照明装置（１０）が提供される。
【００１１】
請求項２に記載の発明によれば、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の外周面（２ｃ２ａ２，２ｃ２ｂ２，２ｃ２ｃ２，２ｃ２ｄ２，２ｃ２ｅ２，２ｃ２ｆ２，２ｃ２ｇ２，２ｃ２ｈ２，２ｃ２ｉ２，２ｃ２ｊ２，２ｃ２ｋ２，２ｃ２ｌ２，２ｃ２ｍ２）に反射面を形成したことを特徴とする請求項１に記載の照明装置（１０）が提供される。
【００１２】
請求項３に記載の発明によれば、中心軸線（２ａ１ａ）を中心に放物線を回転させることにより得られる単一の面によって概略パラボラ状の反射面（２ａ１）を構成したことを特徴とする請求項２に記載の照明装置（１０）が提供される。
【００１３】
請求項４に記載の発明によれば、複数の短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）を相互に連結するための環状の連結部（２ｃ３）を設け、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の上側に環状の連結部（２ｃ３）を配置し、環状の連結部（２ｃ３）の表面のうち、光源（１）に対向する底面（２ｃ３ｃ）に反射面を形成したことを特徴とする請求項３に記載の照明装置（１０）が提供される。
【００１４】
請求項５に記載の発明によれば、環状の連結部（２ｃ３）の外周面（２ｃ３ｂ）に反射面を形成したことを特徴とする請求項４に記載の照明装置（１０）が提供される。
【００１５】
請求項６に記載の発明によれば、環状の連結部（２ｃ３）の内周面を内側に突出させることによってフランジ部（２ｃ３ａ１）を形成し、フランジ部（２ｃ３ａ１）によってレンズ（３）を支持したことを特徴とする請求項５に記載の照明装置（１０）が提供される。
【００１６】
請求項７に記載の発明によれば、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の一方の側面（２ｃ２ａ３，２ｃ２ｂ３，２ｃ２ｃ３，２ｃ２ｄ３，２ｃ２ｅ３，２ｃ２ｆ３，２ｃ２ｇ３，２ｃ２ｈ３，２ｃ２ｉ３，２ｃ２ｊ３，２ｃ２ｋ３，２ｃ２ｌ３，２ｃ２ｍ３）に反射面を形成し、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の他方の側面（２ｃ２ａ４，２ｃ２ｂ４，２ｃ２ｃ４，２ｃ２ｄ４，２ｃ２ｅ４，２ｃ２ｆ４，２ｃ２ｇ４，２ｃ２ｈ４，２ｃ２ｉ４，２ｃ２ｊ４，２ｃ２ｋ４，２ｃ２ｌ４，２ｃ２ｍ４）に反射面を形成したことを特徴とする請求項６に記載の照明装置（１０）が提供される。
【００１７】
請求項８に記載の発明によれば、環状の連結部（２ｃ３）の底面（２ｃ３ｃ）のうち、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）に隣接する部分（２ｃ３ｃ’）を曲面によって構成し、光源（１）から放射された光のうち、この部分（２ｃ３ｃ’）に到達した光（Ｌ７）を、概略パラボラ状の反射面（２ａ１）に指向するように反射することを特徴とする請求項７に記載の照明装置（１０）が提供される。
【発明の効果】
【００１８】
請求項１に記載の照明装置（１０）では、リフレクタ（２）に概略パラボラ状の反射面（２ａ１）が形成されている。また、概略パラボラ状の反射面（２ａ１）の焦点上またはその近傍に光源（１）が配置されている。更に、スリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）と短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）とが円筒面上に交互に配列された円筒状部（２ｃ）が、概略パラボラ状の反射面（２ａ１）の中心軸線（２ａ１ａ）とほぼ同軸関係になるように光源（１）のまわりに配置されている。
【００１９】
そのため、請求項１に記載の照明装置（１０）では、スリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）を透過せしめられた光源（１）からの直射光（Ｌ１）が、概略パラボラ状の反射面（２ａ１）によって反射され、それにより、光源（１）の点灯時に概略パラボラ状の反射面（２ａ１）の中心軸線（２ａ１ａ）上から概略パラボラ状の反射面（２ａ１）が放射状に光って見える。
【００２０】
更に、請求項１に記載の照明装置（１０）では、円筒面上に配列された短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）に反射面が形成されている。
【００２１】
詳細には、請求項１に記載の照明装置（１０）では、円筒状部（２ｃ）の中心軸線（２ｃ４）を中心に短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）を１８０°回転させた位置にスリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）が位置するように、奇数組のスリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）および短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）が設けられている。
【００２２】
そのため、請求項１に記載の照明装置（１０）では、光源（１）から放射された光のうち、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）によって反射された光（Ｌ２）が、円筒状部（２ｃ）の中心軸線（２ｃ４）を隔てて短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の反対側に位置するスリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）を透過せしめられる。
【００２３】
つまり、請求項１に記載の照明装置（１０）では、光源（１）から放射された光のうち、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）に到達した光（Ｌ２）が、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）によって、遮光されるのではなく、反射され、円筒状部（２ｃ）の中心軸線（２ｃ４）を隔てて短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の反対側に位置するスリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）を透過せしめられる。
【００２４】
すなわち、請求項１に記載の照明装置（１０）では、光源（１）から放射された光のうち、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）に到達した光（Ｌ２）が有効利用される。
【００２５】
その結果、請求項１に記載の照明装置（１０）によれば、光源（１）からの光（Ｌ２）の利用効率が低下してしまうのを回避しつつ、光源（１）の点灯時にリフレクタ（２）の反射面（２ａ１）が放射状に光って見えるようにすることができる。
【００２６】
請求項２に記載の照明装置（１０）では、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の外周面（２ｃ２ａ２，２ｃ２ｂ２，２ｃ２ｃ２，２ｃ２ｄ２，２ｃ２ｅ２，２ｃ２ｆ２，２ｃ２ｇ２，２ｃ２ｈ２，２ｃ２ｉ２，２ｃ２ｊ２，２ｃ２ｋ２，２ｃ２ｌ２，２ｃ２ｍ２）に反射面が形成されている。
【００２７】
そのため、請求項２に記載の照明装置（１０）によれば、光源（１）の点灯時のみならず、光源（１）の非点灯時においても、照明装置（１０）の外部からの光によって照らされた短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の外周面（２ｃ２ａ２，２ｃ２ｂ２，２ｃ２ｃ２，２ｃ２ｄ２，２ｃ２ｅ２，２ｃ２ｆ２，２ｃ２ｇ２，２ｃ２ｈ２，２ｃ２ｉ２，２ｃ２ｊ２，２ｃ２ｋ２，２ｃ２ｌ２，２ｃ２ｍ２）が、概略パラボラ状の反射面（２ａ１）に映り込み、キラキラ光っているように見せることができる。
【００２８】
請求項３に記載の照明装置（１０）では、中心軸線（２ａ１ａ）を中心に放物線を回転させることにより得られる単一の面によって概略パラボラ状の反射面（２ａ１）が構成されている。
【００２９】
そのため、請求項３に記載の照明装置（１０）によれば、観察者が視点を移動させることにより、概略パラボラ状の反射面（２ａ１）に映り込んだ短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の外周面（２ｃ２ａ２，２ｃ２ｂ２，２ｃ２ｃ２，２ｃ２ｄ２，２ｃ２ｅ２，２ｃ２ｆ２，２ｃ２ｇ２，２ｃ２ｈ２，２ｃ２ｉ２，２ｃ２ｊ２，２ｃ２ｋ２，２ｃ２ｌ２，２ｃ２ｍ２）の像が、単一の面によって構成された概略パラボラ状の反射面（２ａ１）上を移動しているように見せることができ、それにより、照明装置（１０）の奥行き感を観察者に感じさせることができる。
【００３０】
請求項４に記載の照明装置（１０）では、複数の短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）を相互に連結するための環状の連結部（２ｃ３）が設けられている。また、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の上側に環状の連結部（２ｃ３）が配置されている。更に、環状の連結部（２ｃ３）の表面のうち、光源（１）に対向する底面（２ｃ３ｃ）に反射面が形成されている。
【００３１】
そのため、請求項４に記載の照明装置（１０）では、光源（１）から放射された光のうち、環状の連結部（２ｃ３）の底面（２ｃ３ｃ）に到達した光（Ｌ３）が、環状の連結部（２ｃ３）の底面（２ｃ３ｃ）によって、遮光されるのではなく、反射され、スリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）を透過せしめられる。
【００３２】
すなわち、請求項４に記載の照明装置（１０）では、光源（１）から放射された光のうち、環状の連結部（２ｃ３）の底面（２ｃ３ｃ）に到達した光（Ｌ３）が有効利用される。
【００３３】
その結果、請求項４に記載の照明装置（１０）によれば、環状の連結部（２ｃ３）の底面（２ｃ３ｃ）に到達した光（Ｌ３）が環状の連結部（２ｃ３）の底面（２ｃ３ｃ）によって遮光される場合よりも、光源（１）からの光（Ｌ３）の利用効率を向上させることができる。
【００３４】
請求項５に記載の照明装置（１０）では、環状の連結部（２ｃ３）の外周面（２ｃ３ｂ）に反射面が形成されている。そのため、請求項５に記載の照明装置（１０）によれば、光源（１）の点灯時のみならず、光源（１）の非点灯時においても、照明装置（１０）の外部からの光によって照らされた環状の連結部（２ｃ３）の外周面（２ｃ３ｂ）が、概略パラボラ状の反射面（２ａ１）に映り込み、キラキラ光っているように見せることができる。
【００３５】
請求項６に記載の照明装置（１０）では、環状の連結部（２ｃ３）の内周面を内側に突出させることによってフランジ部（２ｃ３ａ１）が形成されている。更に、フランジ部（２ｃ３ａ１）によってレンズ（３）が支持されている。
【００３６】
そのため、請求項６に記載の照明装置（１０）によれば、光源（１）から放射された光のうち、概略パラボラ状の反射面（２ａ１）に到達しない光（Ｌ４）をレンズ（３）によって配光制御することができる。
【００３７】
請求項７に記載の照明装置（１０）では、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の一方の側面（２ｃ２ａ３，２ｃ２ｂ３，２ｃ２ｃ３，２ｃ２ｄ３，２ｃ２ｅ３，２ｃ２ｆ３，２ｃ２ｇ３，２ｃ２ｈ３，２ｃ２ｉ３，２ｃ２ｊ３，２ｃ２ｋ３，２ｃ２ｌ３，２ｃ２ｍ３）に反射面が形成されている。
【００３８】
そのため、請求項７に記載の照明装置（１０）では、光源（１）から放射された光のうち、円筒状部（２ｃ）の中心軸線（２ｃ４）上から外れた位置から放射された光（Ｌ５）が、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の一方の側面（２ｃ２ａ３，２ｃ２ｂ３，２ｃ２ｃ３，２ｃ２ｄ３，２ｃ２ｅ３，２ｃ２ｆ３，２ｃ２ｇ３，２ｃ２ｈ３，２ｃ２ｉ３，２ｃ２ｊ３，２ｃ２ｋ３，２ｃ２ｌ３，２ｃ２ｍ３）によって反射され、スリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）を透過せしめられる。
【００３９】
つまり、請求項７に記載の照明装置（１０）では、光源（１）から放射された光のうち、円筒状部（２ｃ）の中心軸線（２ｃ４）上から外れた位置から放射された光（Ｌ５）が、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の一方の側面（２ｃ２ａ３，２ｃ２ｂ３，２ｃ２ｃ３，２ｃ２ｄ３，２ｃ２ｅ３，２ｃ２ｆ３，２ｃ２ｇ３，２ｃ２ｈ３，２ｃ２ｉ３，２ｃ２ｊ３，２ｃ２ｋ３，２ｃ２ｌ３，２ｃ２ｍ３）によって遮光されるのではなく、反射されて有効利用される。
【００４０】
その結果、請求項７に記載の照明装置（１０）によれば、光源（１）から放射された光のうち、円筒状部（２ｃ）の中心軸線（２ｃ４）上から外れた位置から放射された光（Ｌ５）が、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の一方の側面（２ｃ２ａ３，２ｃ２ｂ３，２ｃ２ｃ３，２ｃ２ｄ３，２ｃ２ｅ３，２ｃ２ｆ３，２ｃ２ｇ３，２ｃ２ｈ３，２ｃ２ｉ３，２ｃ２ｊ３，２ｃ２ｋ３，２ｃ２ｌ３，２ｃ２ｍ３）によって遮光される場合よりも、光源（１）から放射された光（Ｌ５）の利用効率を向上させることができる。
【００４１】
更に、請求項７に記載の照明装置（１０）では、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の他方の側面（２ｃ２ａ４，２ｃ２ｂ４，２ｃ２ｃ４，２ｃ２ｄ４，２ｃ２ｅ４，２ｃ２ｆ４，２ｃ２ｇ４，２ｃ２ｈ４，２ｃ２ｉ４，２ｃ２ｊ４，２ｃ２ｋ４，２ｃ２ｌ４，２ｃ２ｍ４）に反射面が形成されている。
【００４２】
そのため、請求項７に記載の照明装置（１０）では、光源（１）から放射された光のうち、円筒状部（２ｃ）の中心軸線（２ｃ４）上から外れた位置から放射された光（Ｌ６）が、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の他方の側面（２ｃ２ａ４，２ｃ２ｂ４，２ｃ２ｃ４，２ｃ２ｄ４，２ｃ２ｅ４，２ｃ２ｆ４，２ｃ２ｇ４，２ｃ２ｈ４，２ｃ２ｉ４，２ｃ２ｊ４，２ｃ２ｋ４，２ｃ２ｌ４，２ｃ２ｍ４）によって反射され、スリット部（２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍ）を透過せしめられる。
【００４３】
つまり、請求項７に記載の照明装置（１０）では、光源（１）から放射された光のうち、円筒状部（２ｃ）の中心軸線（２ｃ４）上から外れた位置から放射された光（Ｌ６）が、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の他方の側面（２ｃ２ａ４，２ｃ２ｂ４，２ｃ２ｃ４，２ｃ２ｄ４，２ｃ２ｅ４，２ｃ２ｆ４，２ｃ２ｇ４，２ｃ２ｈ４，２ｃ２ｉ４，２ｃ２ｊ４，２ｃ２ｋ４，２ｃ２ｌ４，２ｃ２ｍ４）によって遮光されるのではなく、反射されて有効利用される。
【００４４】
その結果、請求項７に記載の照明装置（１０）によれば、光源（１）から放射された光のうち、円筒状部（２ｃ）の中心軸線（２ｃ４）上から外れた位置から放射された光（Ｌ６）が、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の他方の側面（２ｃ２ａ４，２ｃ２ｂ４，２ｃ２ｃ４，２ｃ２ｄ４，２ｃ２ｅ４，２ｃ２ｆ４，２ｃ２ｇ４，２ｃ２ｈ４，２ｃ２ｉ４，２ｃ２ｊ４，２ｃ２ｋ４，２ｃ２ｌ４，２ｃ２ｍ４）によって遮光される場合よりも、光源（１）から放射された光（Ｌ６）の利用効率を向上させることができる。
【００４５】
請求項８に記載の照明装置（１０）では、環状の連結部（２ｃ３）の底面（２ｃ３ｃ）のうち、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）に隣接する部分（２ｃ３ｃ’）が、曲面によって構成されている。更に、光源（１）から放射された光のうち、この部分（２ｃ３ｃ’）に到達した光（Ｌ７）が、概略パラボラ状の反射面（２ａ１）に指向するように反射される。
【００４６】
そのため、請求項８に記載の照明装置（１０）によれば、環状の連結部（２ｃ３）の底面（２ｃ３ｃ）のうち、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）に隣接する部分に到達した光源（１）の直射光（Ｌ７）が、環状の連結部（２ｃ３）の底面（２ｃ３ｃ）によって反射され、次いで、短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ）の内周面（２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１）によって反射され、光源（１）の近傍に戻されてしまうのを回避することができる。
【００４７】
つまり、請求項８に記載の照明装置（１０）によれば、光源（１）からの光（Ｌ７）が有効に利用されない場合よりも、光源（１）からの光（Ｌ７）の利用効率を向上させることができる。
【発明を実施するための最良の形態】
【００４８】
以下、本発明の照明装置の第１の実施形態について説明する。図１は第１の実施形態の照明装置１０の分解斜視図である。第１の実施形態の照明装置１０では、図１に示すように、基板１’に搭載された例えばＬＥＤなどのような光源１と、リフレクタ２と、レンズカット（図示せず）などが形成された拡散用レンズ３とが設けられている。第２の実施形態の照明装置１０では、代わりに、レンズ３を省略することも可能である。
【００４９】
図２は図１に示したリフレクタ２の平面図（リフレクタ２を図１の左上側から見た図）である。第１の実施形態の照明装置１０では、例えば樹脂材料の成形によってリフレクタ２が形成されている。第３の実施形態の照明装置１０では、代わりに、例えばアルミダイキャスト等によってリフレクタ２を形成することも可能である。
【００５０】
第１の実施形態の照明装置１０では、図１および図２に示すように、パラボラ部２ａと、底部２ｂと、円筒状部２ｃとが、リフレクタ２に設けられている。詳細には、例えばアルミ蒸着処理をリフレクタ２のパラボラ部２ａに施すことにより、概略パラボラ状の反射面２ａ１が形成されている。また、例えばアルミ蒸着処理をリフレクタ２の底部２ｂに施すことにより、環状であって平面状の反射面２ｂ１が形成されている。
【００５１】
更に、第１の実施形態の照明装置１０では、図１に示すように、光源１が、概略パラボラ状の反射面２ａ１の焦点上またはその近傍に配置されている。
【００５２】
図３および図４は図１および図２に示したリフレクタ２の円筒状部２ｃを上側（図１の左上側、図２の手前側）から見た水平断面図である。図５は図１および図２に示したリフレクタ２の鉛直断面図である。詳細には、図５（Ａ）は図２のＡ−Ａ線に沿った断面図、図５（Ｂ）は図２のＢ−Ｂ線に沿った断面図、図５（Ｃ）は図２のＣ−Ｃ線に沿った断面図である。図６〜図９は光源１から放射された光Ｌ１，Ｌ２，Ｌ３，Ｌ４，Ｌ５，Ｌ６の光路図である。
【００５３】
第１の実施形態の照明装置１０では、図１および図３（Ａ）に示すように、スリット部２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍと短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍとが円筒面上に交互に配列された円筒状部２ｃが、概略パラボラ状の反射面２ａ１の中心軸線２ａ１ａとほぼ同軸関係になるように光源１のまわりに配置されている。
【００５４】
そのため、第１の実施形態の照明装置１０では、図６（Ａ）に示すように、スリット部２ｃ１ｃ（図３（Ａ）参照）を透過せしめられた光源１からの直射光Ｌ１が、概略パラボラ状の反射面２ａ１によって反射され、それにより、光源１の点灯時に概略パラボラ状の反射面２ａ１の中心軸線２ａ１ａ（２ｃ４）上から（図６（Ａ）の右下側から）概略パラボラ状の反射面２ａ１が光って見える。
【００５５】
また、第１の実施形態の照明装置１０では、図６（Ｂ）に示すように、スリット部２ｃ１ｋ（図３（Ａ）参照）を透過せしめられた光源１からの直射光Ｌ１が、概略パラボラ状の反射面２ａ１によって反射され、それにより、光源１の点灯時に概略パラボラ状の反射面２ａ１の中心軸線２ａ１ａ（２ｃ４）上から（図６（Ｂ）の左側から）概略パラボラ状の反射面２ａ１が光って見える。
【００５６】
更に、第１の実施形態の照明装置１０では、図６（Ｃ）に示すように、スリット部２ｃ１ｆ（図３（Ａ）参照）を透過せしめられた光源１からの直射光Ｌ１が、概略パラボラ状の反射面２ａ１によって反射され、それにより、光源１の点灯時に概略パラボラ状の反射面２ａ１の中心軸線２ａ１ａ（２ｃ４）上から（図６（Ｃ）の右上側から）概略パラボラ状の反射面２ａ１が光って見える。
【００５７】
同様に、第１の実施形態の照明装置１０では、スリット部２ｃ１ａ，２ｃ１ｂ，２ｃ１ｄ，２ｃ１ｅ，２ｃ１ｇ，２ｃ１ｈ，２ｃ１ｉ，２ｃ１ｊ，２ｃ１ｌ，２ｃ１ｍ（図３（Ａ）参照）を透過せしめられた光源１からの直射光Ｌ１が、概略パラボラ状の反射面２ａ１によって反射され、それにより、光源１の点灯時に概略パラボラ状の反射面２ａ１の中心軸線２ａ１ａ（２ｃ４）上から概略パラボラ状の反射面２ａ１が光って見え、その結果、概略パラボラ状の反射面２ａ１が放射状に光って見える。
【００５８】
更に、第１の実施形態の照明装置１０では、図３および図４に示すように、円筒面上に配列された短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの内周面２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１に例えばアルミ蒸着処理を施すことにより、反射面が形成されている。
【００５９】
第１の実施形態の照明装置１０では、図３および図４に示すように、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの内周面２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１が円筒面によって構成されているが、第４の実施形態の照明装置１０では、代わりに、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの内周面２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１を、例えば円筒面以外の自由曲面（平面も含む。）によって構成することも可能である。
【００６０】
第１の実施形態の照明装置１０では、図３（Ａ）に示すように、円筒状部２ｃの中心軸線２ｃ４を中心に短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍを１８０°回転させた位置にスリット部２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍが位置するように、例えば１３組のような奇数組のスリット部２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍおよび短冊状のリブ部（２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍが設けられている。
【００６１】
つまり、第１の実施形態の照明装置１０では、図３（Ａ）に示すように、円筒状部２ｃの中心軸線２ｃ４を中心に円筒状部２ｃを１３分の３６０°回転させると、回転させた後の円筒状部２ｃの形状が、回転させる前の円筒状部２ｃの形状に一致する。すなわち、第１の実施形態の照明装置１０では、円筒状部２ｃが、いわゆる「１３回回転対称」形状に形成されている。
【００６２】
第１の実施形態の照明装置１０では、円筒状部２ｃが１３回回転対称形状に形成されているが、第５の実施形態の照明装置１０では、代わりに、円筒状部２ｃをＮ回回転対称形状（Ｎは３以上であって、１３以外の奇数）に形成することも可能である。
【００６３】
第１の実施形態の照明装置１０では、図３（Ａ）、図４（Ｂ）および図６（Ａ）に示すように、光源１から放射された光のうち、短冊状のリブ部２ｃ２ｉの内周面２ｃ２ｉ１によって反射された光Ｌ２が、円筒状部２ｃの中心軸線２ｃ４を隔てて短冊状のリブ部２ｃ２ｉの反対側に位置するスリット部２ｃ１ｃを透過せしめられ、光Ｌ１よりも円筒状部２ｃの中心軸線２ｃ４と大きい角度をなす拡散光Ｌ２として照射される。
【００６４】
また、第１の実施形態の照明装置１０では、図３（Ａ）、図３（Ｂ）および図６（Ｂ）に示すように、光源１から放射された光のうち、短冊状のリブ部２ｃ２ｄの内周面２ｃ２ｄ１によって反射された光Ｌ２が、円筒状部２ｃの中心軸線２ｃ４を隔てて短冊状のリブ部２ｃ２ｄの反対側に位置するスリット部２ｃ１ｋを透過せしめられ、光Ｌ１よりも円筒状部２ｃの中心軸線２ｃ４と大きい角度をなす拡散光Ｌ２として照射される。
【００６５】
更に、第１の実施形態の照明装置１０では、図３（Ａ）、図４（Ｂ）および図６（Ｃ）に示すように、光源１から放射された光のうち、短冊状のリブ部２ｃ２ｌの内周面２ｃ２ｌ１によって反射された光Ｌ２が、円筒状部２ｃの中心軸線２ｃ４を隔てて短冊状のリブ部２ｃ２ｌの反対側に位置するスリット部２ｃ１ｆを透過せしめられ、光Ｌ１よりも円筒状部２ｃの中心軸線２ｃ４と大きい角度をなす拡散光Ｌ２として照射される。
【００６６】
同様に、第１の実施形態の照明装置１０では、光源１から放射された光のうち、短冊状のリブ部２ｃ２ａ，２ｃ２ｂ，２ｃ２ｃ，２ｃ２ｅ，２ｃ２ｆ，２ｃ２ｇ，２ｃ２ｈ，２ｃ２ｊ，２ｃ２ｋ，２ｃ２ｍの内周面２ｃ２ａ１，２ｃ２ｂ１，２ｃ２ｃ１，２ｃ２ｅ１，２ｃ２ｆ１，２ｃ２ｇ１，２ｃ２ｈ１，２ｃ２ｊ１，２ｃ２ｋ１，２ｃ２ｍ１によって反射された光Ｌ２が、円筒状部２ｃの中心軸線２ｃ４を隔てて短冊状のリブ部２ｃ２ａ，２ｃ２ｂ，２ｃ２ｃ，２ｃ２ｅ，２ｃ２ｆ，２ｃ２ｇ，２ｃ２ｈ，２ｃ２ｊ，２ｃ２ｋ，２ｃ２ｍの反対側に位置するスリット部２ｃ１ａ，２ｃ１ｂ，２ｃ１ｄ，２ｃ１ｅ，２ｃ１ｇ，２ｃ１ｈ，２ｃ１ｉ，２ｃ１ｊ，２ｃ１ｌ，２ｃ１ｍを透過せしめられ、光Ｌ１よりも円筒状部２ｃの中心軸線２ｃ４と大きい角度をなす拡散光Ｌ２として照射される。
【００６７】
つまり、第１の実施形態の照明装置１０では、光源１から放射された光のうち、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの内周面２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１に到達した光Ｌ２が、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの内周面２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１によって、遮光されるのではなく、反射され、円筒状部２ｃの中心軸線２ｃ４を隔てて短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの反対側に位置するスリット部２ｃ１ａ，２ｃ１ｂ，２ｃ１ｃ，２ｃ１ｄ，２ｃ１ｅ，２ｃ１ｆ，２ｃ１ｇ，２ｃ１ｈ，２ｃ１ｉ，２ｃ１ｊ，２ｃ１ｋ，２ｃ１ｌ，２ｃ１ｍを透過せしめられ、光Ｌ１よりも円筒状部２ｃの中心軸線２ｃ４と大きい角度をなす拡散光Ｌ２として照射される。
【００６８】
すなわち、第１の実施形態の照明装置１０では、光源１から放射された光のうち、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの内周面２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１に到達した光Ｌ２が有効利用される。
【００６９】
その結果、第１の実施形態の照明装置１０によれば、光源１からの光Ｌ２の利用効率が低下してしまうのを回避しつつ、光源１の点灯時に光源１からの光Ｌ１によってリフレクタ２の反射面２ａ１が放射状に光って見えるようにすることができる。
【００７０】
更に、第１の実施形態の照明装置１０では、図３、図４および図５に示すように、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの外周面２ｃ２ａ２，２ｃ２ｂ２，２ｃ２ｃ２，２ｃ２ｄ２，２ｃ２ｅ２，２ｃ２ｆ２，２ｃ２ｇ２，２ｃ２ｈ２，２ｃ２ｉ２，２ｃ２ｊ２，２ｃ２ｋ２，２ｃ２ｌ２，２ｃ２ｍ２に例えばアルミ蒸着処理を施すことによって、反射面が形成されている。
【００７１】
そのため、第１の実施形態の照明装置１０によれば、光源１の点灯時のみならず、光源１の非点灯時においても、照明装置１０の外部からの光によって照らされた短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの外周面２ｃ２ａ２，２ｃ２ｂ２，２ｃ２ｃ２，２ｃ２ｄ２，２ｃ２ｅ２，２ｃ２ｆ２，２ｃ２ｇ２，２ｃ２ｈ２，２ｃ２ｉ２，２ｃ２ｊ２，２ｃ２ｋ２，２ｃ２ｌ２，２ｃ２ｍ２が、概略パラボラ状の反射面２ａ１に映り込み、キラキラ光っているように見せることができる。
【００７２】
詳細には、第１の実施形態の照明装置１０では、図５（Ａ）の右下側からリフレクタ２を見た時に、照明装置１０の外部からの光によって照らされた短冊状のリブ部２ｃ２ｉの外周面２ｃ２ｉ２が、概略パラボラ状の反射面２ａ１に映り込み、キラキラ光って見える。
【００７３】
また、第１の実施形態の照明装置１０では、図５（Ｂ）の左側からリフレクタ２を見た時に、照明装置１０の外部からの光によって照らされた短冊状のリブ部２ｃ２ｄの外周面２ｃ２ｄ２が、概略パラボラ状の反射面２ａ１に映り込み、キラキラ光って見える。
【００７４】
更に、第１の実施形態の照明装置１０では、図５（Ｃ）の右上側からリフレクタ２を見た時に、照明装置１０の外部からの光によって照らされた短冊状のリブ部２ｃ２ｌの外周面２ｃ２ｌ２が、概略パラボラ状の反射面２ａ１に映り込み、キラキラ光って見える。
【００７５】
また、第１の実施形態の照明装置１０では、図１および図２に示すように、中心軸線２ａ１ａを中心に放物線を回転させることにより得られる単一の面によって概略パラボラ状の反射面２ａ１が構成されている。
【００７６】
そのため、第１の実施形態の照明装置１０によれば、観察者が視点を移動させることにより、概略パラボラ状の反射面２ａ１に映り込んだ短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ（図３（Ａ）参照）の外周面２ｃ２ａ２，２ｃ２ｂ２，２ｃ２ｃ２，２ｃ２ｄ２，２ｃ２ｅ２，２ｃ２ｆ２，２ｃ２ｇ２，２ｃ２ｈ２，２ｃ２ｉ２，２ｃ２ｊ２，２ｃ２ｋ２，２ｃ２ｌ２，２ｃ２ｍ２（図３（Ｂ）、図４（Ａ）および図４（Ｂ）参照）の像が、単一の面によって構成された概略パラボラ状の反射面２ａ１上を移動しているように見せることができ、それにより、照明装置１０の奥行き感を観察者に感じさせることができる。
【００７７】
更に、第１の実施形態の照明装置１０では、図１、図２および図５に示すように、複数の短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ（図３（Ａ）参照）を相互に連結するための環状の連結部２ｃ３が設けられている。また、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの上側（図１の左上側）に環状の連結部２ｃ３が配置されている。更に、環状の連結部２ｃ３の表面のうち、光源１に対向する底面２ｃ３ｃに例えばアルミ蒸着処理を施すことにより、反射面が形成されている。
【００７８】
そのため、第１の実施形態の照明装置１０では、図７（Ａ）に示すように、光源１から放射された光のうち、環状の連結部２ｃ３の底面２ｃ３ｃに到達した光Ｌ３が、環状の連結部２ｃ３の底面２ｃ３ｃによって、遮光されるのではなく、反射され、次いで、スリット部２ｃ１ｃを透過せしめられ、次いで、概略パラボラ状の反射面２ａ１によって反射され、次いで、再びスリット部２ｃ１ｃを透過せしめられ、次いで、レンズ３を透過せしめられ、拡散光Ｌ３として照射される。
【００７９】
また、第１の実施形態の照明装置１０では、図７（Ｂ）に示すように、光源１から放射された光のうち、環状の連結部２ｃ３の底面２ｃ３ｃに到達した光Ｌ３が、環状の連結部２ｃ３の底面２ｃ３ｃによって、遮光されるのではなく、反射され、次いで、スリット部２ｃ１ｋを透過せしめられ、次いで、概略パラボラ状の反射面２ａ１によって反射され、次いで、再びスリット部２ｃ１ｋを透過せしめられ、次いで、レンズ３を透過せしめられ、拡散光Ｌ３として照射される。
【００８０】
更に、第１の実施形態の照明装置１０では、図７（Ｃ）に示すように、光源１から放射された光のうち、環状の連結部２ｃ３の底面２ｃ３ｃに到達した光Ｌ３が、環状の連結部２ｃ３の底面２ｃ３ｃによって、遮光されるのではなく、反射され、次いで、スリット部２ｃ１ｆを透過せしめられ、次いで、概略パラボラ状の反射面２ａ１によって反射され、次いで、再びスリット部２ｃ１ｆを透過せしめられ、次いで、レンズ３を透過せしめられ、拡散光Ｌ３として照射される。
【００８１】
同様に、第１の実施形態の照明装置１０では、光源１から放射された光のうち、環状の連結部２ｃ３の底面２ｃ３ｃに到達した光Ｌ３が、環状の連結部２ｃ３の底面２ｃ３ｃによって、遮光されるのではなく、反射され、スリット部２ｃ１ａ，２ｃ１ｂ，２ｃ１ｄ，２ｃ１ｅ，２ｃ１ｇ，２ｃ１ｈ，２ｃ１ｉ，２ｃ１ｊ，２ｃ１ｌ，２ｃ１ｍを透過せしめられ、次いで、概略パラボラ状の反射面２ａ１によって反射され、次いで、再びスリット部２ｃ１ａ，２ｃ１ｂ，２ｃ１ｄ，２ｃ１ｅ，２ｃ１ｇ，２ｃ１ｈ，２ｃ１ｉ，２ｃ１ｊ，２ｃ１ｌ，２ｃ１ｍを透過せしめられ、次いで、レンズ３を透過せしめられ、拡散光Ｌ３として照射される。
【００８２】
すなわち、第１の実施形態の照明装置１０では、光源１から放射された光のうち、環状の連結部２ｃ３の底面２ｃ３ｃに到達した光Ｌ３が有効利用される。
【００８３】
その結果、第１の実施形態の照明装置１０によれば、環状の連結部２ｃ３の底面２ｃ３ｃに到達した光Ｌ３が環状の連結部２ｃ３の底面２ｃ３ｃによって遮光される場合よりも、光源１からの光Ｌ３の利用効率を向上させることができる。
【００８４】
更に、第１の実施形態の照明装置１０では、図８（Ａ）、図８（Ｂ）および図８（Ｃ）に示すように、光源１から放射された光のうち、円筒状部２ｃの中心軸線２ｃ４と小さい角度をなす光Ｌ４が、レンズ３を透過せしめられ、拡散光Ｌ４として照射される。なお、図８（Ａ）は図５（Ａ）（図２のＡ−Ａ線に沿った断面図）に対応しており、図８（Ｂ）は図５（Ｂ）（図２のＢ−Ｂ線に沿った断面図）に対応しており、図８（Ｃ）は図５（Ｃ）（図２のＣ−Ｃ線に沿った断面図）に対応している。
【００８５】
また、第１の実施形態の照明装置１０では、図１および図５に示すように、環状の連結部２ｃ３の外周面２ｃ３ｂに例えばアルミ蒸着処理を施すことにより、反射面が形成されている。そのため、第１の実施形態の照明装置１０によれば、光源１の点灯時のみならず、光源１の非点灯時においても、照明装置１０の外部からの光によって照らされた環状の連結部２ｃ３の外周面２ｃ３ｂが、概略パラボラ状の反射面２ａ１に映り込み、キラキラ光っているように見せることができる。
【００８６】
更に、第１の実施形態の照明装置１０では、図１、図５および図８に示すように、環状の連結部２ｃ３の内周面を内側に突出させることによってフランジ部２ｃ３ａ１が形成されている。更に、フランジ部２ｃ３ａ１によってレンズ３が支持されている。そのため、第１の実施形態の照明装置１０によれば、図８に示すように、光源１から放射された光のうち、概略パラボラ状の反射面２ａ１に到達しない光Ｌ４をレンズ３によって配光制御することができる。
【００８７】
レンズ３が省略される第２の実施形態の照明装置１０では、代わりに、フランジ部２ｃ３ａ１を省略することも可能である。
【００８８】
第１の実施形態の照明装置１０では、図３および図４に示すように、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの一方の側面２ｃ２ａ３，２ｃ２ｂ３，２ｃ２ｃ３，２ｃ２ｄ３，２ｃ２ｅ３，２ｃ２ｆ３，２ｃ２ｇ３，２ｃ２ｈ３，２ｃ２ｉ３，２ｃ２ｊ３，２ｃ２ｋ３，２ｃ２ｌ３，２ｃ２ｍ３）に例えばアルミ蒸着処理を施すことにより、反射面が形成されている。
【００８９】
そのため、第１の実施形態の照明装置１０では、図９（Ａ）に示すように、光源１から放射された光のうち、円筒状部２ｃの中心軸線２ｃ４上から外れた位置から放射された光Ｌ５が、短冊状のリブ部２ｃ２ａの一方の側面２ｃ２ａ３によって反射され、スリット部２ｃ１ａ（図３（Ａ）参照）を透過せしめられる。
【００９０】
また、第１の実施形態の照明装置１０では、図９（Ｂ）に示すように、光源１から放射された光のうち、円筒状部２ｃの中心軸線２ｃ４上から外れた位置から放射された光Ｌ５が、短冊状のリブ部２ｃ２ｇの一方の側面２ｃ２ｇ３によって反射され、スリット部２ｃ１ｇ（図３（Ａ）参照）を透過せしめられる。
【００９１】
同様に、第１の実施形態の照明装置１０では、光源１から放射された光のうち、円筒状部２ｃの中心軸線２ｃ４上から外れた位置から放射された光Ｌ５が、短冊状のリブ部２ｃ２ｂ，２ｃ２ｃ，２ｃ２ｄ，２ｃ２ｅ，２ｃ２ｆ，２ｃ２ｈ，２ｃ２ｉ，２ｃ２ｊ，２ｃ２ｋ，２ｃ２ｌ，２ｃ２ｍ（図３（Ａ）参照）の一方の側面２ｃ２ｂ３，２ｃ２ｃ３，２ｃ２ｄ３，２ｃ２ｅ３，２ｃ２ｆ３，２ｃ２ｈ３，２ｃ２ｉ３，２ｃ２ｊ３，２ｃ２ｋ３，２ｃ２ｌ３，２ｃ２ｍ３（図３（Ｂ）、図４（Ａ）および図４（Ｂ）参照）によって反射され、スリット部２ｃ１ｂ，２ｃ１ｃ，２ｃ１ｄ，２ｃ１ｅ，２ｃ１ｆ，２ｃ１ｈ，２ｃ１ｉ，２ｃ１ｊ，２ｃ１ｋ，２ｃ１ｌ，２ｃ１ｍ（図３（Ａ）参照）を透過せしめられる。
【００９２】
つまり、第１の実施形態の照明装置１０では、光源１から放射された光のうち、円筒状部２ｃの中心軸線２ｃ４上から外れた位置から放射された光Ｌ５が、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ（図３（Ａ）参照）の一方の側面２ｃ２ａ３，２ｃ２ｂ３，２ｃ２ｃ３，２ｃ２ｄ３，２ｃ２ｅ３，２ｃ２ｆ３，２ｃ２ｇ３，２ｃ２ｈ３，２ｃ２ｉ３，２ｃ２ｊ３，２ｃ２ｋ３，２ｃ２ｌ３，２ｃ２ｍ３（図３（Ｂ）、図４（Ａ）および図４（Ｂ）参照）によって遮光されるのではなく、反射されて有効利用される。
【００９３】
その結果、第１の実施形態の照明装置１０によれば、光源１から放射された光のうち、円筒状部２ｃの中心軸線２ｃ４上から外れた位置から放射された光Ｌ５が、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの一方の側面２ｃ２ａ３，２ｃ２ｂ３，２ｃ２ｃ３，２ｃ２ｄ３，２ｃ２ｅ３，２ｃ２ｆ３，２ｃ２ｇ３，２ｃ２ｈ３，２ｃ２ｉ３，２ｃ２ｊ３，２ｃ２ｋ３，２ｃ２ｌ３，２ｃ２ｍ３によって遮光される場合よりも、光源１から放射された光Ｌ５の利用効率を向上させることができる。
【００９４】
更に、第１の実施形態の照明装置１０では、図３および図４に示すように、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの他方の側面２ｃ２ａ４，２ｃ２ｂ４，２ｃ２ｃ４，２ｃ２ｄ４，２ｃ２ｅ４，２ｃ２ｆ４，２ｃ２ｇ４，２ｃ２ｈ４，２ｃ２ｉ４，２ｃ２ｊ４，２ｃ２ｋ４，２ｃ２ｌ４，２ｃ２ｍ４に例えばアルミ蒸着処理を施すことにより、反射面が形成されている。
【００９５】
そのため、第１の実施形態の照明装置１０では、図９（Ａ）に示すように、光源１から放射された光のうち、円筒状部２ｃの中心軸線２ｃ４上から外れた位置から放射された光Ｌ６が、短冊状のリブ部２ｃ２ａの他方の側面２ｃ２ａ４によって反射され、スリット部２ｃ１ｂ（図３（Ａ）参照）を透過せしめられる。
【００９６】
また、第１の実施形態の照明装置１０では、図９（Ｂ）に示すように、光源１から放射された光のうち、円筒状部２ｃの中心軸線２ｃ４上から外れた位置から放射された光Ｌ６が、短冊状のリブ部２ｃ２ｇの他方の側面２ｃ２ｇ４によって反射され、スリット部２ｃ１ｈ（図３（Ａ）参照）を透過せしめられる。
【００９７】
同様に、第１の実施形態の照明装置１０では、光源１から放射された光のうち、円筒状部２ｃの中心軸線２ｃ４上から外れた位置から放射された光Ｌ６が、短冊状のリブ部２ｃ２ｂ，２ｃ２ｃ，２ｃ２ｄ，２ｃ２ｅ，２ｃ２ｆ，２ｃ２ｈ，２ｃ２ｉ，２ｃ２ｊ，２ｃ２ｋ，２ｃ２ｌ，２ｃ２ｍ（図３（Ａ）参照）の他方の側面２ｃ２ｂ４，２ｃ２ｃ４，２ｃ２ｄ４，２ｃ２ｅ４，２ｃ２ｆ４，２ｃ２ｈ４，２ｃ２ｉ４，２ｃ２ｊ４，２ｃ２ｋ４，２ｃ２ｌ４，２ｃ２ｍ４（図３（Ｂ）、図４（Ａ）および図４（Ｂ）参照）によって反射され、スリット部２ｃ１ａ，２ｃ１ｃ，２ｃ１ｄ，２ｃ１ｅ，２ｃ１ｆ，２ｃ１ｇ，２ｃ１ｉ，２ｃ１ｊ，２ｃ１ｋ，２ｃ１ｌ，２ｃ１ｍ（図３（Ａ）参照）を透過せしめられる。
【００９８】
つまり、第１の実施形態の照明装置１０では、光源１から放射された光のうち、円筒状部２ｃの中心軸線２ｃ４上から外れた位置から放射された光Ｌ６が、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ（図３（Ａ）参照）の他方の側面２ｃ２ａ４，２ｃ２ｂ４，２ｃ２ｃ４，２ｃ２ｄ４，２ｃ２ｅ４，２ｃ２ｆ４，２ｃ２ｇ４，２ｃ２ｈ４，２ｃ２ｉ４，２ｃ２ｊ４，２ｃ２ｋ４，２ｃ２ｌ４，２ｃ２ｍ４（図３（Ｂ）、図４（Ａ）および図４（Ｂ）参照）によって遮光されるのではなく、反射されて有効利用される。
【００９９】
その結果、第１の実施形態の照明装置１０によれば、光源１から放射された光のうち、円筒状部２ｃの中心軸線２ｃ４上から外れた位置から放射された光Ｌ６が、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの他方の側面２ｃ２ａ４，２ｃ２ｂ４，２ｃ２ｃ４，２ｃ２ｄ４，２ｃ２ｅ４，２ｃ２ｆ４，２ｃ２ｇ４，２ｃ２ｈ４，２ｃ２ｉ４，２ｃ２ｊ４，２ｃ２ｋ４，２ｃ２ｌ４，２ｃ２ｍ４によって遮光される場合よりも、光源１から放射された光Ｌ６の利用効率を向上させることができる。
【０１００】
詳細には、第１の実施形態の照明装置１０では、成形によってリフレクタ２が形成される時に、円筒状部２ｃの中心軸線２ｃ４の方向（図５（Ｂ）の左右方向）に上金型（図示せず）と下金型（図示せず）とが相対移動せしめられる。
【０１０１】
更に、概略パラボラ状の反射面２ａ１（図１参照）と、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ（図３（Ａ）参照）の外周面２ｃ２ａ２，２ｃ２ｂ２，２ｃ２ｃ２，２ｃ２ｄ２，２ｃ２ｅ２，２ｃ２ｆ２，２ｃ２ｇ２，２ｃ２ｈ２，２ｃ２ｉ２，２ｃ２ｊ２，２ｃ２ｋ２，２ｃ２ｌ２，２ｃ２ｍ２（図３（Ｂ）、図４（Ａ）および図４（Ｂ）参照）と、環状の連結部２ｃ３の外周面２ｃ３ｂ（図５参照）とが上金型によって形成される。
【０１０２】
また、環状の連結部２ｃ３の底面２ｃ３ｃ（図５参照）と、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ（図３（Ａ）参照）の一方の側面２ｃ２ａ３，２ｃ２ｂ３，２ｃ２ｃ３，２ｃ２ｄ３，２ｃ２ｅ３，２ｃ２ｆ３，２ｃ２ｇ３，２ｃ２ｈ３，２ｃ２ｉ３，２ｃ２ｊ３，２ｃ２ｋ３，２ｃ２ｌ３，２ｃ２ｍ３（図３（Ｂ）、図４（Ａ）および図４（Ｂ）参照）と、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍ（図３（Ａ）参照）の他方の側面２ｃ２ａ４，２ｃ２ｂ４，２ｃ２ｃ４，２ｃ２ｄ４，２ｃ２ｅ４，２ｃ２ｆ４，２ｃ２ｇ４，２ｃ２ｈ４，２ｃ２ｉ４，２ｃ２ｊ４，２ｃ２ｋ４，２ｃ２ｌ４，２ｃ２ｍ４（図３（Ｂ）、図４（Ａ）および図４（Ｂ）参照）とが下金型によって形成される。
【０１０３】
そのため、第１の実施形態の照明装置１０によれば、スライド金型を用いることなく、一部品としてリフレクタ２を成形することができる。
【０１０４】
つまり、第１の実施形態の照明装置１０によれば、スライド金型が用いられる場合や、複数部品として成形されたリフレクタ２が組み立てられる場合よりも、リフレクタ２の製造コストを抑制することができる。
【０１０５】
図１０は第６の実施形態の照明装置１０のリフレクタ２の鉛直断面図である。詳細には、図１０（Ａ）は図５（Ａ）に相当する断面図、図１０（Ｂ）は図５（Ｂ）に相当する断面図、図１０（Ｃ）は図５（Ｃ）に相当する断面図である。図１１は第６の実施形態の照明装置１０の光源１から放射された光Ｌ７の光路図である。
【０１０６】
第１の実施形態の照明装置１０では、図５（Ａ）に示すように、環状の連結部２ｃ３の底面２ｃ３ｃのうち、短冊状のリブ部２ｃ２ｉの内周面２ｃ２ｉ１に隣接する部分が平面によって構成されているが、第６の実施形態の照明装置１０では、代わりに、図１０（Ａ）に示すように、環状の連結部２ｃ３の底面２ｃ３ｃのうち、短冊状のリブ部２ｃ２ｉの内周面２ｃ２ｉ１に隣接する部分２ｃ３ｃ’が、曲面によって構成されている。更に、第６の実施形態の照明装置１０では、図１１（Ａ）に示すように、光源１から放射された光のうち、この部分２ｃ３ｃ’に到達した光Ｌ７が、概略パラボラ状の反射面２ａ１に指向するように反射され、次いで、概略パラボラ状の反射面２ａ１によって反射された光Ｌ７が円筒状部２ｃの中心軸線２ｃ４と角度をなす拡散光Ｌ７として照射される。
【０１０７】
また、第１の実施形態の照明装置１０では、図５（Ｂ）に示すように、環状の連結部２ｃ３の底面２ｃ３ｃのうち、短冊状のリブ部２ｃ２ｄの内周面２ｃ２ｄ１に隣接する部分が平面によって構成されているが、第６の実施形態の照明装置１０では、代わりに、図１０（Ｂ）に示すように、環状の連結部２ｃ３の底面２ｃ３ｃのうち、短冊状のリブ部２ｃ２ｄの内周面２ｃ２ｄ１に隣接する部分２ｃ３ｃ’が、曲面によって構成されている。更に、第６の実施形態の照明装置１０では、図１１（Ｂ）に示すように、光源１から放射された光のうち、この部分２ｃ３ｃ’に到達した光Ｌ７が、概略パラボラ状の反射面２ａ１に指向するように反射され、次いで、概略パラボラ状の反射面２ａ１によって反射された光Ｌ７が円筒状部２ｃの中心軸線２ｃ４と角度をなす拡散光Ｌ７として照射される。
【０１０８】
更に、第１の実施形態の照明装置１０では、図５（Ｃ）に示すように、環状の連結部２ｃ３の底面２ｃ３ｃのうち、短冊状のリブ部２ｃ２ｌの内周面２ｃ２ｌ１に隣接する部分が平面によって構成されているが、第６の実施形態の照明装置１０では、代わりに、図１０（Ｃ）に示すように、環状の連結部２ｃ３の底面２ｃ３ｃのうち、短冊状のリブ部２ｃ２ｌの内周面２ｃ２ｌ１に隣接する部分２ｃ３ｃ’が、曲面によって構成されている。更に、第６の実施形態の照明装置１０では、図１１（Ｃ）に示すように、光源１から放射された光のうち、この部分２ｃ３ｃ’に到達した光Ｌ７が、概略パラボラ状の反射面２ａ１に指向するように反射され、次いで、概略パラボラ状の反射面２ａ１によって反射された光Ｌ７が円筒状部２ｃの中心軸線２ｃ４と角度をなす拡散光Ｌ７として照射される。
【０１０９】
同様に、第１の実施形態の照明装置１０では、環状の連結部２ｃ３の底面２ｃ３ｃのうち、短冊状のリブ部２ｃ２ａ，２ｃ２ｂ，２ｃ２ｃ，２ｃ２ｅ，２ｃ２ｆ，２ｃ２ｇ，２ｃ２ｈ，２ｃ２ｊ，２ｃ２ｋ，２ｃ２ｍの内周面２ｃ２ａ１，２ｃ２ｂ１，２ｃ２ｃ１，２ｃ２ｅ１，２ｃ２ｆ１，２ｃ２ｇ１，２ｃ２ｈ１，２ｃ２ｊ１，２ｃ２ｋ１，２ｃ２ｍ１に隣接する部分が平面によって構成されているが、第６の実施形態の照明装置１０では、代わりに、環状の連結部２ｃ３の底面２ｃ３ｃのうち、短冊状のリブ部２ｃ２ａ，２ｃ２ｂ，２ｃ２ｃ，２ｃ２ｅ，２ｃ２ｆ，２ｃ２ｇ，２ｃ２ｈ，２ｃ２ｊ，２ｃ２ｋ，２ｃ２ｍの内周面２ｃ２ａ１，２ｃ２ｂ１，２ｃ２ｃ１，２ｃ２ｅ１，２ｃ２ｆ１，２ｃ２ｇ１，２ｃ２ｈ１，２ｃ２ｊ１，２ｃ２ｋ１，２ｃ２ｍ１に隣接する部分２ｃ３ｃ’が、曲面によって構成されている。更に、第６の実施形態の照明装置１０では、光源１から放射された光のうち、この部分２ｃ３ｃ’に到達した光Ｌ７が、概略パラボラ状の反射面２ａ１に指向するように反射され、次いで、概略パラボラ状の反射面２ａ１によって反射された光Ｌ７が円筒状部２ｃの中心軸線２ｃ４と角度をなす拡散光Ｌ７として照射される。
【０１１０】
そのため、第６の実施形態の照明装置１０によれば、環状の連結部２ｃ３の底面２ｃ３ｃのうち、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの内周面２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１に隣接する部分に到達した光源１の直射光Ｌ７が、環状の連結部２ｃ３の底面２ｃ３ｃによって反射され、次いで、短冊状のリブ部２ｃ２ａ，２ｃ２ｂ，２ｃ２ｃ，２ｃ２ｄ，２ｃ２ｅ，２ｃ２ｆ，２ｃ２ｇ，２ｃ２ｈ，２ｃ２ｉ，２ｃ２ｊ，２ｃ２ｋ，２ｃ２ｌ，２ｃ２ｍの内周面２ｃ２ａ１，２ｃ２ｂ１，２ｃ２ｃ１，２ｃ２ｄ１，２ｃ２ｅ１，２ｃ２ｆ１，２ｃ２ｇ１，２ｃ２ｈ１，２ｃ２ｉ１，２ｃ２ｊ１，２ｃ２ｋ１，２ｃ２ｌ１，２ｃ２ｍ１によって反射され、光源１の近傍に戻されて利用されなくなってしまうのを回避することができる。
【０１１１】
つまり、第６の実施形態の照明装置１０によれば、光源１からの光Ｌ７が有効に利用されない場合よりも、光源１からの光Ｌ７の利用効率を向上させることができる。
【０１１２】
第７の実施形態では、上述した第１から第６の実施形態を適宜組み合わせることも可能である。
【産業上の利用可能性】
【０１１３】
本発明の照明装置は、例えば遊技機器、ゲーム機、イルミネーション、一般照明装置などに適用可能である。
【図面の簡単な説明】
【０１１４】
【図１】第１の実施形態の照明装置１０の分解斜視図である。
【図２】図１に示したリフレクタ２の平面図（リフレクタ２を図１の左上側から見た図）である。
【図３】図１および図２に示したリフレクタ２の円筒状部２ｃを上側（図１の左上側、図２の手前側）から見た水平断面図である。
【図４】図１および図２に示したリフレクタ２の円筒状部２ｃを上側（図１の左上側、図２の手前側）から見た水平断面図である。
【図５】図１および図２に示したリフレクタ２の鉛直断面図である。
【図６】光源１から放射された光Ｌ１，Ｌ２，Ｌ３，Ｌ４，Ｌ５，Ｌ６の光路図である。
【図７】光源１から放射された光Ｌ１，Ｌ２，Ｌ３，Ｌ４，Ｌ５，Ｌ６の光路図である。
【図８】光源１から放射された光Ｌ１，Ｌ２，Ｌ３，Ｌ４，Ｌ５，Ｌ６の光路図である。
【図９】光源１から放射された光Ｌ１，Ｌ２，Ｌ３，Ｌ４，Ｌ５，Ｌ６の光路図である。
【図１０】第６の実施形態の照明装置１０のリフレクタ２の鉛直断面図である。
【図１１】第６の実施形態の照明装置１０の光源１から放射された光Ｌ７の光路図である。
【符号の説明】
【０１１５】
１                                                          光源
２                                                          リフレクタ
２ａ１                                                      反射面
２ａ１ａ                                                    中心軸線
２ｃ                                                        円筒状部
２ｃ１ａ，２ｃ１ｂ，２ｃ１ｃ，２ｃ１ｄ，２ｃ１ｅ            スリット部
２ｃ１ｆ，２ｃ１ｇ，２ｃ１ｈ，２ｃ１ｉ，２ｃ１ｊ            スリット部
２ｃ１ｋ，２ｃ１ｌ，２ｃ１ｍ                                スリット部
２ｃ２ａ，２ｃ２ｂ，２ｃ２ｃ，２ｃ２ｄ，２ｃ２ｅ            リブ部
２ｃ２ｆ，２ｃ２ｇ，２ｃ２ｈ，２ｃ２ｉ，２ｃ２ｊ            リブ部
２ｃ２ｋ，２ｃ２ｌ，２ｃ２ｍ                                リブ部
２ｃ２ａ１，２ｃ２ｂ１，２ｃ２ｃ１，２ｃ２ｄ１              内周面
２ｃ２ｅ１，２ｃ２ｆ１，２ｃ２ｇ１，２ｃ２ｈ１              内周面
２ｃ２ｉ１，２ｃ２ｊ１，２ｃ２ｋ１，２ｃ２ｌ１，２ｃ２ｍ１  内周面
２ｃ４                                                      中心軸線
１０                                                        照明装置
【図１】
2010080060.tif 000003
【図２】
2010080060.tif 000004
【図３】
2010080060.tif 000005
【図４】
2010080060.tif 000006
【図５】
2010080060.tif 000007
【図６】
2010080060.tif 000008
【図７】
2010080060.tif 000009
【図８】
2010080060.tif 000010
【図９】
2010080060.tif 000011
【図１０】
2010080060.tif 000012
【図１１】
2010080060.tif 000013